(57)【要約】【課題】ネットワークで接続された機器に対して、受信したすべてのコンテンツに対し、コンテンツ毎に公開するか否かを自動設定することができる情報処理装置およびコンテンツ公開方法を提供する。【解決手段】ＴＶ番組及びＴＶ番組に対応するコンテンツ情報を通信手段２４によって受信し、予めＨＤＤ２２に登録されている所定のキーワードがコンテンツ情報に含まれている場合は、コンテンツ情報に対応するＴＶ番組をネットワークに接続された機器へ非公開の設定とする。【選択図】      図２
2008059386.tif 000002
【特許請求の範囲】
【請求項１】
所定のキーワードを記憶する記憶手段と、
動画コンテンツ及びこの動画コンテンツに対応するコンテンツ情報を受信する受信手段と、
前記受信手段によって受信されたコンテンツ情報に前記記憶手段に記憶されているキーワードが含まれているかを判別する判別手段と、
前記判別手段によってコンテンツ情報に前記キーワードが含まれていると判別された場合は、前記コンテンツ情報に対応する前記動画コンテンツをネットワークに接続された機器へ非公開の設定とする設定手段と、
を具備することを特徴とする情報処理装置。
【請求項２】
請求項１に記載の情報処理装置において、
前記受信手段は、動画コンテンツ及びこの動画コンテンツに対応するコンテンツ情報を受信し、前記記憶手段に記憶することを特徴とする情報処理装置。
【請求項３】
請求項１に記載の情報処理装置において、
前記動画コンテンツは、テレビ番組のライブ放送であることを特徴とする情報処理装置。
【請求項４】
請求項１に記載の情報処理装置において、
前記動画コンテンツは、ストリーミングデータであることを特徴とする情報処理装置。
【請求項５】
請求項１に記載の情報処理装置において、
前記コンテンツ情報は、番組表情報、テレビログファイル、パレンタルコントロール情報、前記動画コンテンツに対応するブログ情報、およびメタ情報のうち、いずれか１つ以上であることを特徴とする情報処理装置。
【請求項６】
所定のキーワードを記憶手段に記憶する記憶ステップと、
動画コンテンツ及びこの動画コンテンツに対応するコンテンツ情報を受信する受信ステップと、
前記受信ステップによって受信されたコンテンツ情報に前記記憶手段に記憶されているキーワードが含まれているかを判別する判別ステップと、
前記判別ステップによってコンテンツ情報に前記キーワードが含まれていると判別された場合は、前記コンテンツ情報に対応する前記動画コンテンツをネットワークに接続された機器へ非公開の設定とする設定ステップと、
を有することを特徴とするコンテンツ公開方法。
【請求項７】
請求項６に記載のコンテンツ公開方法において、
前記受信ステップは、動画コンテンツ及びこの動画コンテンツに対応するコンテンツ情報を受信し、前記記憶手段に記憶することを特徴とするコンテンツ公開方法。
【請求項８】
請求項６に記載のコンテンツ公開方法において、
前記動画コンテンツは、テレビ番組のライブ放送であることを特徴とするコンテンツ公開方法。
【請求項９】
請求項６に記載のコンテンツ公開方法において、
前記動画コンテンツは、ストリーミングデータであることを特徴とするコンテンツ公開方法。
【請求項１０】
請求項６に記載のコンテンツ公開方法において、
前記コンテンツ情報は、番組表情報、テレビログファイル、パレンタルコントロール情報、前記動画コンテンツに対応するブログ情報、およびメタ情報のうち、いずれか１つ以上であることを特徴とするコンテンツ公開方法。
【発明の詳細な説明】
【技術分野】
【０００１】
本発明は、ネットワークで接続された機器に対して、受信した動画コンテンツ毎に公開するか否かを自動設定することができる情報処理装置およびコンテンツ公開方法に関する。
【背景技術】
【０００２】
一般的に、ネットワークで接続された機器に対して、受信した動画コンテンツを公開するか否かを設定する技術としては、例えば特開２００５−３３２０４８号公報に開示されているように、サービス情報提供者がコンテンツ毎にレイティングを決めておき、ユーザの検索要求に対し、ユーザプロファイルにより、年齢制限フィルタリングや、お勧めリストのサービスを行うシステムがある（特許文献１参照）。
【特許文献１】特開２００５−３３２０４８号公報
【発明の開示】
【発明が解決しようとする課題】
【０００３】
しかし、上述した技術では、予めコンテンツ毎にレイティングを決めておく必要があり、予めレイティングが決められていないコンテンツに対しては自動的にコンテンツ毎の公開、非公開を行うことができない。
【０００４】
本発明の目的は、ネットワークで接続された機器に対して、受信したすべてのコンテンツに対し、コンテンツ毎に公開するか否かを自動設定することができる情報処理装置およびコンテンツ公開方法を提供することである。
【課題を解決するための手段】
【０００５】
上記目的を達成するために、本発明の一態様によれば、動画コンテンツ及びこの動画コンテンツに対応するコンテンツ情報を受信する受信手段と、所定のキーワードを記憶する記憶手段と、前記受信手段によって受信されたコンテンツ情報に前記記憶手段に記憶されているキーワードが含まれているかを判別する判別手段と、前記判別手段によってコンテンツ情報に前記キーワードが含まれていると判別された場合は、前記コンテンツ情報に対応する前記動画コンテンツをネットワークに接続された機器へ非公開の設定とする設定手段とを具備することを特徴とする情報処理装置が提供される。
【発明の効果】
【０００６】
本発明を用いることにより、ネットワークで接続された機器に対して、受信したすべてのコンテンツに対し、コンテンツ毎に公開するか否かを自動設定することができる。
【発明を実施するための最良の形態】
【０００７】
（第１実施形態）
以下図面を参照して、本発明の実施形態について説明する。
【０００８】
図１には、本発明の一実施形態に係る情報処理装置を用いたネットワークシステムの模式図が示されている。このネットワークシステムは、例えば、ＨＤＤ（ハードディスク）＆ＤＶＤ（Digital Versatile Disk）レコーダ１０として実現されている。なお、本発明は、ＨＤＤ＆ＤＶＤレコーダ等に録画されたテレビ番組や、ＨＤＤ＆ＤＶＤレコーダを介して配信されるテレビ番組のライブ放送等に付与されたコンテンツ情報を検索し、該当するキーワードが含まれていた場合等に、対応するテレビ番組をＨＤＤ＆ＤＶＤレコーダに接続された機器に公開しない設定とするものである。また、本実施形態では、情報処理装置としてＨＤＤ＆ＤＶＤレコーダを例にして説明しているが、ＴＶチューナー機能のみの機器や、セット・トップ・ボックスのようなものであってもよく、限定されるものではない。
【０００９】
図１に示すように、ネットワークシステムは、ＨＤＤ＆ＤＶＤレコーダ１０、ＨＤＤ＆ＤＶＤレコーダ１０に接続可能なインターネットゲートウェイ１１、ＨＤＤ＆ＤＶＤレコーダ１０に、例えばＬＡＮ（Local Area Network）等のホームネットワークを介して接続可能なノートＰＣ１２、プリンタ１３、テレビ（ＴＶ）１４、デスクトップＰＣ１５等から構成されている。
【００１０】
なお、ＨＤＤ＆ＤＶＤレコーダ１０は、アンテナ等を介してＴＶ番組を受信してもよいし、インターネットゲートウェイ１１を介してインターネットからＴＶ番組を受信してもよい。また、別途、セット・トップ・ボックスを接続してＴＶ番組を受信するようにしてもよい。また、当該実施形態では、ＨＤＤ＆ＤＶＤレコーダ１０をＤＭＳ（デジタルメディアサーバ）として、ノートＰＣ１２をＤＭＰ（デジタルメディアプレーヤ）として説明するが、双方の機能を入れ替えてもよく、また、双方に両方の機能（ＤＭＳとＤＭＰ）を持たせてＤＭＳＰ（デジタルメディアサーバ＆プレーヤ）としてもよい。
【００１１】
図２は、本発明の一実施形態に係る情報処理装置であるＨＤＤ＆ＤＶＤレコーダの要部構成を示すブロック図である。
【００１２】
ＨＤＤ＆ＤＶＤレコーダ１０は、ＣＰＵ（Central Processing Unit）（判別・設定手段）２０、フラッシュメモリ２１、ＨＤＤ２２、ＤＶＤ２３、通信手段（受信手段）２４を備えている。通信手段２４は、ホームネットワークに接続するためのＬＡＮ機能等である。
【００１３】
ＣＰＵ２０は、本ＨＤＤ＆ＤＶＤレコーダ１０の動作を制御するプロセッサであり、ＨＤＤ２２からフラッシュメモリ２１にロードされる各種プログラム（オペレーティングシステム、アプリケーションプログラム）を実行する。
【００１４】
ＨＤＤ２２は、各種プログラム（オペレーティングシステム、アプリケーションプログラム）や、ユーザが設定したキーワード情報、録画したＴＶ番組データ、各種ＤＢ（データベース）等を記憶する。
【００１５】
次に、図３は、実際に録画されたＴＶ番組データの一覧を管理するコンテンツ管理ＤＢの内容を示した模式図である。
【００１６】
録画された動画コンテンツであるＴＶ番組データは、コンテンツＩＤ（Ｃ−ＩＤ）が付されて整理されている。また、例えばＥＰＧ（Electronic Program Guide）情報を用いて取得したコンテンツ名、公開、非公開等のフラグ情報、入手できた場合はパレンタル情報、録画日時等が管理されている。フラグ情報は、公開、非公開、完全非公開（予めすべての人に公開しない設定）、非公開候補、公開候補の５種類あり、詳細は後述する（デフォルト値は、完全非公開）。パレンタル情報は、例えば、ＴＶ番組に予めＴＶ−１４、ＴＶ−Ｙ、ＴＶ−ＭＡ、ＴＶ−Ｇ等の情報が付されている。例えば、年齢による分類では、
ＴＶ−Ｙ（すべての子どもむけ。幼児が見ても大丈夫）
ＴＶ−Ｙ７（７歳以上の子どもむけ。本物とにせものの分別のつく子どもが対象）
ＴＶ−Ｇ（一般の視聴者むけ。とくに子どもむけではないが、子どもが見ても問題ない）
ＴＶ−ＰＧ（親が一緒に視聴することが望ましい。ＰＧはペアレンタル・ガイダンス）
ＴＶ−１４（１４歳未満に不適切。親は注意を怠ってはならない）
ＴＶ−ＭＡ（成人むけ。１７歳未満に不適切）
といったものである。そして、予め、どのレベルのパレンタル情報を公開するか否かを設定し、パレンタル設定情報としてキーワードＤＢに記憶しておく。
【００１７】
次に、図４は、予約管理ＤＢの内容を示した模式図である。
【００１８】
予約録画情報が保存され、予約ＩＤ（Ｒ−ＩＤ）、予約番組名、予約日時、ホームネットワークへのフラグ情報（公開、非公開、完全非公開、非公開候補、公開候補）などが記憶されている。
【００１９】
図５は、デバイス管理ＤＢの内容を示した模式図である。
【００２０】
デバイス管理ＤＢには、ホームネットワークに接続されている機器のＭＡＣアドレス情報、このＭＡＣアドレス情報に対応する機器のメモ等が記載されている。
【００２１】
図６は、危険キーワード管理ＤＢの内容を示した模式図である。
【００２２】
危険キーワード管理ＤＢには、予め、ホームネットワークに公開するのに相応しい番組か否かを判定する際に利用するキーワードや、各キーワードの危険度を示す情報が入っている。キーワード管理ツールを使って、このキーワードＤＢ（危険キーワード）のキーワードの追加・削除・変更ができる。例えば、キーワード「殺人」は危険度５であり、キーワード「殴り合い」は危険度４であり、キーワード「暴力」は危険度５として設定されている。
【００２３】
以上のようにキーワードが設定された状態で、図７〜図９のフローチャートを参照して、本発明の情報処理装置を適用したコンテンツ公開方法について説明する。
【００２４】
なお、録画予約の段階では、キーワードによって番組表等を検索し、「公開候補」または「非公開候補」に設定される。録画後は、再度、ブログ等のキーワードによる検索も行い、「公開」または「非公開」として決定、設定される。
【００２５】
ＣＰＵ２０は、ＨＤＤ２２からフラッシュメモリ２１に所定のアプリケーション、例えば公開管理ソフトウェアをロードして起動する。公開管理ソフトウェアは、ＤＭＳの搭載されている機器で録画予約が実行され、録画予約命令の受付を行うと（ステップＳ１０１）、予約管理ＤＢにおける該当番組のフラグ情報（公開フラグ）をすべて「非公開候補」とする（ステップＳ１０２）。次に、公開管理ソフトウェアは、予約されたテレビ番組のＥＰＧ情報の中に好ましくないキーワードがないかどうかをキーワードＤＢと照合させて検索する（ステップＳ１０３）。公開管理ソフトウェアによって、好ましくないキーワードが含まれていないと判別された場合には（ステップＳ１０４の含まれていない）、予約管理ＤＢにおける該当番組のフラグ情報を「公開候補」に設定する（ステップＳ１０５）。
【００２６】
一方、公開管理ソフトウェアによって、好ましくないキーワードが含まれていると判別された場合には（ステップＳ１０４の含まれている）、予約録画が開始され（ステップＳ１０６）、録画している番組のパレンタル情報を調べる（ステップＳ１０７）。公開管理ソフトウェアによって、録画している番組のパレンタル情報が公開できるレベルか否かをキーワードＤＢに記憶した情報（上述したパレンタル設定情報）により判別する（ステップＳ１０８）。公開管理ソフトウェアによって、録画している番組のパレンタル情報が公開できるレベルであると判別された場合には（ステップＳ１０８のはい）、予約管理ＤＢにおける該当番組のフラグ情報の設定を「公開候補」として設定する。またはコンテンツ管理テーブル（ＤＢ）の該当欄にパレンタル情報を記憶する（ステップＳ１０９）。
【００２７】
一方、公開管理ソフトウェアによって、録画している番組のパレンタル情報が公開できるレベルでないと判別された場合には（ステップＳ１０８のいいえ）、予約管理ＤＢにおける該当番組の公開／非公開フラグの設定は変更せず、録画終了予定時刻まで録画を継続する（ステップＳ１１０）。続いて、予約管理ＤＢにおける該当番組のフラグ情報をコンテンツ管理ＤＢにおける該当番組のフラグ情報に設定する（ステップＳ１１１）。
【００２８】
以上のような流れで、例えばＥＰＧ情報を利用して、録画予約された番組が、ホームネットワークに公開するのが相応しいか否かの一次判定を行う。ＥＰＧ情報（タイトル、番組説明など）の中に、キーワードＤＢに登録されている危険キーワードが入っていた場合は、該当するコンテンツは、録画が完了しても、ホームネットワークに公開しない。録画が開始されたら、放送波に重畳されているパレンタル情報を調べ、その際にも、ホームネットワークに公開するのが相応しいか否かの判定を行う。たとえば、パレンタル情報によってＴＶ−ＰＧ（親が一緒に視聴することが望ましい。ＰＧはペアレンタル・ガイダンス）、ＴＶ−１４（１４歳未満に不適切。親は注意を怠ってはならない）、ＴＶ−ＭＡ（成人むけ。１７歳未満に不適切）等といったレベルが検出されたならば、録画が完了しても、そのコンテンツをホームネットワークには公開しない。
【００２９】
次に、ＤＭＰ（例えば、ノートＰＣ）からＤＭＳ（例えば、ＨＤＤ＆ＤＶＤレコーダ１０）に対して、コンテンツ視聴の依頼が行われたならば、ＤＭＳが、ＤＭＰに公開可能なコンテンツ一覧を返却するための検索処理を行う過程で、図８に示すような処理を行う。
【００３０】
まず、ＨＤＤ＆ＤＶＤレコーダ１０の公開管理ソフトウェアは、コンテンツ閲覧の要求として、公開可能なコンテンツ一覧の生成命令を受け付ける（ステップＳ２０１）。コンテンツのフラグ情報を無視すべき機器（フラグ情報に係わらず公開を許可する機器）からの依頼であるか否かを判別する（ステップＳ２０２）。公開管理ソフトウェアは、コンテンツのフラグ情報を無視すべき機器であると判別すると（ステップＳ２０２のはい）、コンテンツ管理ＤＢに登録されている「完全非公開」以外のコンテンツ（つまり、「公開」、「公開候補」、「非公開候補」、「非公開」コンテンツ）一覧を返却（コンテンツ閲覧の要求に返答する）、公開する（ステップＳ２０３）。
【００３１】
一方、公開管理ソフトウェアは、コンテンツのフラグ情報を無視すべき機器でないと判別すると（ステップＳ２０２のいいえ）、コンテンツ管理ＤＢで、「公開候補」となっているコンテンツのブログファイルが存在しているか否かを判別する（ステップＳ２０５）。公開管理ソフトウェアによって、コンテンツのブログファイルが存在していると判別された場合は（ステップＳ２０５の存在する）、すなわち、テレビ番組のブログ情報を利用できれば（テレビブログポータルサイト等が、Ｗｅｂサービスを提供していて、ＨＤＤ＆ＤＶＤレコーダ１０等が、該当番組のブログファイルを自動的に入手できた場合は）、該当のブログファイルに、好ましくないキーワードが含まれていないかどうかを調べ（ステップＳ２０９）、ブログファイルの中に、キーワードＤＢ（危険キーワード）に登録されているキーワードが入っていたならば（ステップＳ２１０の含まれている）、当該コンテンツは公開せず、コンテンツ管理ＤＢで、当該コンテンツのフラグ情報を「非公開」とする。なお、設定された危険キーワードで、所定レベル以上の危険度のキーワードが入っていたものが、非公開コンテンツとなる。ＥＰＧ情報を参照しているときと、ブログを参照しているときでは、危険か否かを切り分ける危険度の閾値を変えても良い。例えば、危険度が１〜５の５段階で分類されている場合（図６参照）、ＥＰＧ情報に対しては、危険度３以上のものを非公開コンテンツとし、ブログに対しては、危険度５のものを非公開とするようにしても良い）。
【００３２】
一方、公開管理ソフトウェアは、ブログファイルが存在していなければ（ステップＳ２０５の存在しない）、例えば、録画後にＮ日（例えば１日）経過した後であれば（ステップＳ２０６のはい）、当該コンテンツはホームネットワークに公開して良いと判断し、当該コンテンツのフラグを「公開」とする。また、ステップＳ２０６で、録画後にＮ日（例えば１日）経過していなければ（ステップＳ２０６のいいえ）、当該コンテンツはホームネットワークにはまだ公開しないと判断し、当該コンテンツのフラグを「公開候補」のままとする。
【００３３】
以上の処理をコンテンツリスト最後まで行い、コンテンツリスト最後まで到達したと判別された場合は（ステップＳ２１２のはい）、公開管理ソフトウェアは、コンテンツ管理ＤＢで、フラグ情報（公開フラグ）が「公開」となっているコンテンツ一覧を要求があった機器に返却する（ステップＳ２１３）。
【００３４】
なお、ブログファイルは、日々更新されるので、定期的に、ブログファイルを調べるのが望ましい。ＤＭＰがインストールされているブログチェックプログラムが、ブログファイルを提供するブログポータルのＷｅｂサービスを使って、コンテンツ管理ＤＢに登録されている「公開」および「公開候補」のコンテンツのブログファイルを調べる。ブログファイルの中に、キーワードＤＢ（危険キーワード）に登録されている所定危険度以上のキーワードが入っていたならば、該当コンテンツのフラグ情報を、「非公開」に変更、更新する。また、ブログチェックプログラムが、フラグ情報が「公開候補」となっているコンテンツのブログファイルをチェックした結果、キーワードＤＢ（危険キーワード）に登録されている所定危険度以上のキーワードが入っていないならば、該当のコンテンツのホームネットワークへのフラグ情報を「公開」に更新する。
【００３５】
また、ＨＤＤ＆ＤＶＤレコーダ１０等のＤＭＳが、メタデータ付きのＡＶファイルを取り扱うときには、コンテンツをＤＭＳに登録する段階で、メタ情報の内容を調べる。例えば、図９に示すように、メタデータ（メタ情報）付きコンテンツファイルを受信すると（ステップＳ３０１）、メタデータの中に、好ましくないキーワードが含まれていれば（ステップＳ３０２の含まれている）、当該コンテンツのフラグ情報は、「非公開」とし（ステップＳ３０３）、ＤＭＳはコンテンツを公開しない。一方、ステップＳ３０２で、メタデータの中に、好ましくないキーワードが含まれていなければ（ステップＳ３０２の含まれていない）、当該コンテンツのフラグ情報を「公開」とし、ＤＭＳはコンテンツを公開する。
【００３６】
なお、上述した実施形態では、ＴＶ番組を録画予約時に公開するか否かを決定し、録画予約後に再度、公開するか否かを決定しているが、このような形態以外にも、ＴＶ番組のライブ放送をＨＤＤ＆ＤＶＤレコーダ１０等のＤＭＳからネットワークに接続された機器に配信する場合、ＴＶ番組のＥＰＧ情報等がキーワードＤＢに該当するか否かを判別することにより、公開するか否かを判別することができる。また、インターネットを経由したストリーミング放送においても、配信前にストリーミング放送に付与されているメタデータ（メタ情報）等がキーワードＤＢに該当するか否かを判別することにより、公開するか否かを判別することができる。
【００３７】
以上、本実施形態によると、ネットワークで接続された機器に対して、受信したすべてのコンテンツに対し、コンテンツ毎に公開するか否かを自動設定することができる。すなわち、テレビ番組などの録画が完了した時点で、あるいは、録画が完了してからしばらく経った後で、録画したコンテンツをホームネットワークに公開するか否かを、ＡＶシステムが自動判別することで、不用意に、子供たちに好ましくないコンテンツを公開してしまうといったことがない。さらに、パレンタルコントロール情報を考慮しないデジタルメディアプレーヤに対して、不用意に、コンテンツを公開してしまうということを防ぐことができる。また、デジタルメディアプレーヤを用いて、ＴＶ放送のライブ視聴する際にも、ＤＭＳが公開の可否をコンテンツを自動判断することで、子供たちが、好ましくないコンテンツを目にする機会を抑えることができる。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明の一実施形態に係る情報処理装置を用いたネットワークシステムの模式図。
【図２】本発明の一実施形態に係る情報処理装置であるＨＤＤ＆ＤＶＤレコーダの要部構成を示すブロック図。
【図３】実際に録画されたＴＶ番組データの一覧を管理するコンテンツ管理ＤＢの内容を示した模式図。
【図４】予約管理ＤＢの内容を示した模式図。
【図５】デバイス管理ＤＢの内容を示した模式図。
【図６】危険キーワード管理ＤＢの内容を示した模式図。
【図７】本発明の情報処理装置を適用したコンテンツ公開方法について説明したフローチャート。
【図８】本発明の情報処理装置を適用したコンテンツ公開方法について説明したフローチャート。
【図９】本発明の情報処理装置を適用したコンテンツ公開方法について説明したフローチャート。
【符号の説明】
【００４０】
１０…ＤＶＤレコーダ、１１…インターネットゲートウェイ、１２…ノートＰＣ、１３…プリンタ、１４…テレビ、１５…デスクトップＰＣ、２０…ＣＰＵ、２１…フラッシュメモリ、２２…ＨＤＤ、２４…通信手段
【図１】
2008059386.tif 000003
【図２】
2008059386.tif 000004
【図３】
2008059386.tif 000005
【図４】
2008059386.tif 000006
【図５】
2008059386.tif 000007
【図６】
2008059386.tif 000008
【図７】
2008059386.tif 000009
【図８】
2008059386.tif 000010
【図９】
2008059386.tif 000011